(57)【特許請求の範囲】
【請求項１】
第１の板状部と、この第１の板状部に対向する第２の板状部とを含むケースと、前記第２の板状部の外表面上に設けられており前記第２の板状部に設けられた開口を覆うカバーとを有するパッケージと、
光入射面を有しており、前記光入射面が前記第１の板状部に対向するように前記ケース内に収容された光検出素子と、
前記第２の板状部と前記カバーとの間に設けられており、前記開口を介して前記ケースの内側から外側に延びる前記光検出素子に接続された信号ケーブルを前記パッケージに固定するための固定部と
を備え、
前記固定部は、前記第２の板状部の外表面において前記信号ケーブルを挟み込むように互に対向して設けられた第１及び第２の固定部材を含む、ことを特徴とする撮像素子。
【請求項２】
第１の板状部と、この第１の板状部に対向する第２の板状部とを含むケースと、前記第２の板状部の外表面上に設けられており前記第２の板状部に設けられた開口を覆うカバーとを有するパッケージと、
光入射面を有しており、前記光入射面が前記第１の板状部に対向するように前記ケース内に収容された光検出素子と、
前記第２の板状部と前記カバーとの間に設けられており、前記開口を介して前記ケースの内側から外側に延びる前記光検出素子に接続された信号ケーブルを前記パッケージに固定するための固定部と
を備え、
前記固定部は、前記第２の板状部の外表面に設けられた第３の固定部材と、前記第３の固定部材に重なるように前記カバーの内表面に設けられた第４の固定部材とを含む、ことを特徴とする撮像素子。
【請求項３】
前記ケースは、前記第１の板状部を含む第１のケース部材と、前記第２の板状部を含む第２のケース部材とを有し、
互に接触する前記第１のケース部材の端部と前記第２のケース部材の端部とは凹凸嵌合されている、ことを特徴とする請求項１又は２に記載の撮像素子。
【請求項４】
前記第２の板状部の外表面に設けられた複数の突片部を更に有し、
前記カバーは、前記突片部に対応する位置に前記突片部と同数の複数の突部を有し、
前記複数の突部は前記複数の突片部にそれぞれ係合する、ことを特徴とする請求項１〜３の何れか一項に記載の撮像素子。
【請求項５】
前記第２の板状部の外表面のうち前記カバーと接触する部分に溝が設けられており、
前記カバーは、前記溝に嵌め込まれている、ことを特徴とする請求項１〜３の何れか一項に記載の撮像素子。
【請求項６】
複数のボルト及び回路基板を更に有し、
前記カバーは、前記第２の板状部の外表面に接触しており前記複数のボルトと同数の複数の袴部を有し、
前記複数の袴部にはボルト孔がそれぞれ設けられており、
前記第２の板状部及び前記回路基板には、前記袴部の前記ボルト孔に対応する位置にボルト孔がそれぞれ設けられており、
前記袴部、前記第２の板状部及び前記回路基板のそれぞれの前記ボルト孔には前記ボルトがねじ込まれている、ことを特徴とする請求項１〜３の何れか一項に記載の撮像素子。
【請求項７】
前記固定部は、前記カバーの内表面に設けられており前記第１及び第２の固定部材の間に配置された第５の固定部材を更に含む、ことを特徴とする請求項１に記載の撮像素子。
【請求項８】
前記固定部は、前記カバーの内表面において前記信号ケーブルを挟み込むように設けられた第６及び第７の固定部材を更に含む、ことを特徴とする請求項１，３〜６の何れか一項に記載の撮像素子。
【請求項９】
前記固定部は、前記第２の板状部の外表面に設けられており前記第１及び第２の固定部材の間に配置された第８の固定部材を更に含む、ことを特徴とする請求項７に記載の撮像素子。
【発明の詳細な説明】
【技術分野】
【０００１】
本発明は、口腔内に挿入して歯牙等を撮像する撮像素子に関する。
【背景技術】
【０００２】
特許文献１〜３には、口腔内の歯牙等を撮影する撮像素子が開示されている。特許文献１の口腔内センサの場合、撮像面の裏側の回路基板に信号ケーブルが接続されている。特許文献２のＸ線画像センサの場合、撮像面の裏側のカプセルやボビン等を介して信号ケーブルが延びている。特許文献３の口腔内センサの場合、撮像面の裏側の回路基板にキャップやスリーブ等を介して信号ケーブルが接続されている。
【特許文献１】米国特許第６６５２１４１号明細書
【特許文献２】米国特許第６３２０９３４号明細書
【特許文献３】米国特許第５６９１５３９号明細書
【発明の開示】
【発明が解決しようとする課題】
【０００３】
上記のセンサは、何れも、撮像光を受ける撮像面の反対側から信号ケーブルが延びている。このため、口腔内にセンサが挿入された場合に、信号ケーブルが口腔に接触する機会は減小し、患者が口腔内の撮影時に感じる不快感が抑制される。しかし、このように信号ケーブルが撮像面の反対側から延びているセンサは、患者の不快感を低減する一方で、信号ケーブルの引っ張りや曲げに対する強度が低下している。従って、このようなセンサでは、信号ケーブルの曲げや引っ張りによって、信号ケーブルとセンサとの電気的な接続に不具合が生じる虞がある。そこで本発明の目的は、撮像素子のパッケージと撮像面の反対側から延びる信号ケーブルとの接続強度を向上することである。
【課題を解決するための手段】
【０００４】
本発明は、第１の板状部と、この第１の板状部に対向する第２の板状部とを含むケースと、上記第２の板状部の外表面上に設けられており上記第２の板状部に設けられた開口を覆うカバーとを有するパッケージと、光入射面を有しており、上記光入射面が上記第１の板状部に対向するように上記ケース内に収容された光検出素子と、上記第２の板状部と上記カバーとの間に設けられており、上記開口を介して上記ケースの内側から外側に延びる上記光検出素子に接続された信号ケーブルを上記パッケージに固定するための固定部とを備える、ことを特徴とする。
【０００５】
本発明によれば、信号ケーブルが光検出面の反対側から引き出されている場合において、この信号ケーブルが固定部によってパッケージに固定される。このように、信号ケーブルが固定部によってパッケージに固定されるので、信号ケーブルに対する曲げや引っ張りがあっても、信号ケーブルとの間の電気的な接続に不具合が生じる、という事態が回避可能となる。
【０００６】
本発明において、上記ケースは、上記第１の板状部を含む第１のケース部材と、上記第２の板状部を含む第２のケース部材とを有し、互に接触する上記第１のケース部材の端部と上記第２のケース部材の端部とは凹凸嵌合されているのが好ましい。このように、第１のケース部材と第２のケース部材とは凹凸嵌合により接合されているので、第１のケース部材と第２のケース部材との接合部にズレが生じるようなことが回避可能となる。
【０００７】
本発明において、上記第２の板状部の外表面に設けられた複数の突片部を更に有し、上記カバーは、上記突片部に対応する位置に上記突片部と同数の複数の突部を有し、上記複数の突部は上記複数の突片部にそれぞれ係合するのが好ましい。このように、第２の板状部に設けられた複数の突片部と、カバーに設けられた複数の突部とがそれぞれ係合するので、カバーがケースに強固に保持される。
【０００８】
本発明において、上記第２の板状部の外表面のうち上記カバーと接触する部分に溝が設けられており、上記カバーは、上記溝に嵌め込まれているのが好ましい。このように、ケースの表面には溝が設けられており、カバーがこの溝に嵌め込まれることにより、カバーとケースとが接合される。従って、カバー及びケースの構成が簡易となり、製造が容易となる。
【０００９】
本発明において、複数のボルトを更に有し、上記カバーは、上記第２の板状部の外表面に接触しており上記複数のボルトと同数の複数の袴部を有し、上記複数の袴部にはボルト孔がそれぞれ設けられており、上記第２の板状部及び上記回路基板には、上記袴部の上記ボルト孔に対応する位置にボルト孔がそれぞれ設けられており、上記袴部、上記第２の板状部及び上記回路基板のそれぞれの上記ボルト孔には上記ボルトがねじ込まれているのが好ましい。このように、カバーとケース、及び、回路基板とケースとは、ボルト止めされているので、カバー及び回路基板とケースとは強固に接合可能となる。
【００１０】
本発明において、上記固定部は、上記第２の板状部の外表面において上記信号ケーブルを挟み込むように設けられた第１及び第２の固定部材を含むのが好ましい。このように、信号ケーブルは、第１及び第２の固定部材によって挟み込まれることが可能になるので、パッケージに対し強固に固定可能となる。
【００１１】
本発明において、上記固定部は、上記カバーの内表面に設けられており上記第１及び第２の固定部材の間に配置された第５の固定部材を更に含むのが好ましい。このように、信号ケーブルは、第５の固定部材によってケース側に押さえ付けられつつ第１及び第２の固定部材によって挟み込まれることが可能になるので、パッケージに対し強固に固定可能となる。
【００１２】
本発明において、上記固定部は、上記カバーの内表面において上記信号ケーブルを挟み込むように互に対向して設けられた第６及び第７の固定部材を更に含むのが好ましい。このように、信号ケーブルは、第１及び第２の固定部材と第６及び第７の固定部材とによって挟み込まれることが可能になるので、パッケージに対し強固に固定可能となる。
【００１３】
本発明において、上記固定部は、上記第２の板状部の外表面に設けられており上記第１及び第２の固定部材の間に配置された第８の固定部材を更に含むのが好ましい。このように、信号ケーブルは、第１及び第２の固定部材と第５及び第８の固定部材とによって挟み込まれることが可能になるので、パッケージに対し強固に固定可能となる。
【００１４】
本発明において、上記固定部は、上記第２の板状部の外表面に設けられた第３の固定部材と、上記第３の固定部材に重なるように上記カバーの内表面に設けられた第４の固定部材とを含むのが好ましい。このように、信号ケーブルは、第３及び第４の固定部材によって挟み込まれることが可能となるので、パッケージに対し強固に固定可能となる。
【発明の効果】
【００１５】
本発明によれば、撮像素子のパッケージと撮像面の反対側から延びる信号ケーブルとの接続強度が向上される。
【発明を実施するための最良の形態】
【００１６】
以下、図面を参照して、本発明に係る好適な実施形態について詳細に説明する。なお、図面の説明において、可能な場合には、同一要素には同一符号を付し、重複する説明を省略する。図１に、実施形態に係る口腔内センサ１の外観を示す。口腔内センサ１は、患者の口腔内に挿入され、口腔内の歯牙等のＸ線像を撮像するための撮像素子である。口腔内センサ１は、口腔内センサ１を制御する制御装置から延びる信号ケーブル２４に接続されている。口腔内センサ１は、パッケージ２を備える。パッケージ２は、離隔して互に対向する第１板状部１２及び第２板状部１６と、第１板状部１２の周縁と第２板状部１６の周縁との間に延びる側壁部２０とを有する。側壁部２０は、第１板状部１２の周縁から延びる第１側壁部材１４と、第２板状部１６の周縁から延びる第２側壁部材１８とを有する。第２板状部１６は、ケース４の外側から内側に貫通する開口１６ａ（例えば、図２等を参照）が設けられている。
【００１７】
パッケージ２は、ケース４及びカバー６を有する。ケース４は、第１ケース部材８及び第２ケース部材１０を有する。第１ケース部材８は第１板状部１２及び第１側壁部材１４を有する。第２ケース部材１０は第２板状部１６及び第２側壁部材１８を有する。
【００１８】
また、口腔内センサ１は、カバー６を有する。カバー６は、第２板状部１６の外表面上に設けられている。カバー６は、開口１６ａを覆う（例えば、図２等を参照）。カバー６は、孔部２２を有しており、孔部２２はカバー６の外側から内側に貫通している。信号ケーブル２４は、孔部２２を介して、カバー６の外側から内側に延びており、開口１６ａを介して、カバー６の内側（ケース４の外側）からケース４の内側に延びている。信号ケーブル２４は、ケース４内に設けられた光検出素子３４に接続されている（例えば、図２等を参照）。ここで、Ｘ線は第１板状部１２に入射するものであり、信号ケーブル２４は、このＸ線の入射する第１板状部１２の反対側（背面）にある第２板状部１６側から引き出されている。
【００１９】
また、口腔内センサ１は、信号ケーブル２４をケース４に固定するための固定部を有する。この固定部は、第２板状部１６とカバー６との間に設けられており、開口１６ａを介してケース４の内側から外側に延びる信号ケーブル２４をパッケージ２に固定する。固定部の具体例を図１０〜図１５に示し、詳細は後述する。なお、図２〜図９には、図１０に示す固定部（固定部材３２ａ及び固定部材３２ｂ）が一例として記載されている。
【００２０】
次に口腔内センサ１の具体的な構成を説明する。口腔内センサ１の具体例として、図２〜図９にそれぞれ示す口腔内センサ１ａ〜口腔内センサ１ｄを説明する。口腔内センサ１ａの構成を図２及び図３に示し、口腔内センサ１ｂの構成を図４及び図５に示し、口腔内センサ１ｃの構成を図６及び図７に示し、口腔内センサ１ｄの構成を図８及び図９に示す。図２、図４、図６及び図８は、図１に示すＩ−Ｉ線に沿った口腔内センサ１（口腔内センサ１ａ〜口腔内センサ１ｄ）の断面構造を示す図であり、図３、図５、図７及び図９は、それぞれ、口腔内センサ１ａ〜口腔内センサ１ｄの斜視図である。
【００２１】
まず、図２〜図９を参照して、口腔内センサ１ａ〜口腔内センサ１ｄに共通の構成について説明する。口腔内センサ１ａ〜口腔内センサ１ｄは、光検出素子３４を有する。光検出素子３４は、Ｘ線像を電気的な画像信号に変換して信号ケーブル２４を介して出力する素子であり、ケース４内に収容されている。光検出素子３４は、Ｘ線像を可視光に変換するシンチレータ３４ａと、シンチレータ３４ａからの可視光を電気的な画像信号に変換するイメージセンサ３４ｂと、イメージセンサ３４ｂからの画像信号を取り込むための回路基板３４ｃとを有する。
【００２２】
シンチレータ３４ａは、Ｘ線の入射する光入射面３５を有している。イメージセンサ３４ｂは、光入射面３５の反対側においてシンチレータ３４ａ上に設けられている。回路基板３４ｃは、イメージセンサ３４ｂ上に設けられている。回路基板３４ｃ上には、パッド３６（又は、はんだ）が設けられており、パッド３６は、回路基板３４ｃの電気回路と信号ケーブル２４とを電気的に接続する。光検出素子３４は、シンチレータ３４ａの光入射面３５が第１板状部１２に対向し、回路基板３４ｃが第２板状部１６に対向するようにケース４内に収容されている。
【００２３】
また、カバー６（カバー６ａ〜カバー６ｄ）の内側であって、第２板状部１６の外表面上には、固定部材３２ａ及び固定部材３２ｂから成る固定部が設けられている。ここで、カバー６ａ〜カバー６ｄは、カバー６の具体例である。なお、口腔内センサ１ａ〜口腔内センサ１ｄに設けられる固定部はこれに限らず、図１０〜図１５に記載の固定部の何れであってもよい。
【００２４】
また、第１ケース部材８と第２ケース部材１０との接合部、すなわち、互に接触する第１側壁部材１４の端部１４ａと第２側壁部材１８の端部１８ａとは、図中符号４ａに示すように凹凸嵌合されている。これにより、第１ケース部材８と第２ケース部材１０との接合は、ズレが生じること無く接合される。なお、第１ケース部材８と第２ケース部材１０とは、樹脂等を介して凹凸嵌合されていてもよい。
【００２５】
次に、図２及び図３を参照して、口腔内センサ１ａの特徴を説明する。口腔内センサ１ａは、パッケージ２ａ及び突片部２８ａを有する。パッケージ２ａは、カバー６ａとケース４とを有する。パッケージ２ａ及びカバー６ａは、それぞれパッケージ２及びカバー６の一例である。カバー６ａは、第２板状部１６の外表面に接触する端部と、この端部に設けられた複数の（実施形態においては、二つの）突部２６ａとを有する。突部２６ａは、カバー６ａにより覆われる側（カバー６ａの内側）に突出している。
【００２６】
突片部２８ａは、カバー６ａの内側であり且つ突部２６ａに対応する位置に、突部２６ａと同数（実施形態においては、二つ）だけ、第２板状部１６の外表面に設けられている。二つの突片部２８ａは、開口１６ａを挟んで対向して配置されている。突片部２８ａの端部には、突部３０ａが設けられている。突部３０ａは、係合する突部２６ａの突出している方向の反対側に突出しているので、突部２６ａに係合する。突部３０ａが突部２６ａに係合することにより、カバー６ａがケース４に保持される。
【００２７】
次に、図４及び図５を参照して、口腔内センサ１ｂの特徴を説明する。口腔内センサ１ｂは、パッケージ２ｂ及び突片部２８ｂを有する。パッケージ２ｂは、カバー６ｂとケース４とを有する。パッケージ２ｂ及びカバー６ｂは、それぞれパッケージ２及びカバー６の一例である。カバー６ｂは、第２板状部１６の外表面に接触する端部と、この端部に設けられた複数の（実施形態においては、二つの）突部２６ｂとを有する。突部２６ｂは、カバー６ｂにより覆われる側（カバー６ｂの内側）とは反対側（カバー６ｂの外側）に突出している。
【００２８】
突片部２８ｂは、カバー６ｂの外側であり且つ突部２６ｂに対応する位置に、突部２６ｂと同数（実施形態においては、二つ）だけ、第２板状部１６の外表面に設けられている。二つの突片部２８ｂは、開口１６ａを挟んで対向して配置されている。突片部２８ｂの端部には、突部３０ｂが設けられている。突部３０ｂは、係合する突部２６ｂの突出している方向の反対側に突出しているので、突部２６ｂに係合する。突部３０ｂが突部２６ｂに係合することにより、カバー６ｂがケース４に保持される。
【００２９】
次に、図６及び図７を参照して、口腔内センサ１ｃの特徴を説明する。口腔内センサ１ｃは、パッケージ２ｃを有する。パッケージ２ｃは、カバー６ｃとケース４とを有する。パッケージ２ｃ及びカバー６ｃは、それぞれパッケージ２及びカバー６の一例である。カバー６ｃは、第２板状部１６に接触する端部を有し、第２板状部１６の外表面には、このカバー６ｃの端部に沿って嵌合溝１６ｂが設けられている。開口１６ａと固定部材３２ａ及び固定部材３２ｂとは、第２板状部１６の外表面において嵌合溝１６ｂにより囲まれている領域内に配置されている。カバー６ｃの端部は、（例えば樹脂材等を介して）嵌合溝１６ｂに嵌め込まれている。このように、カバー６ｃの端部が（例えば樹脂材等を介して）嵌合溝１６ｂに嵌め込まれることにより、カバー６ｃがケース４に保持される。
【００３０】
次に、図８及び図９を参照して、口腔内センサ１ｄの特徴を説明する。口腔内センサ１ｄは、パッケージ２ｄと、複数のボルト４２ａ及び複数のスペーサ４４ａとを有する。パッケージ２ｄは、カバー６ｄとケース４とを有する。パッケージ２ｄ及びカバー６ｄは、それぞれパッケージ２及びカバー６の一例である。カバー６ｄは、第２板状部１６の外表面に接触する端部に、複数の（実施形態においては、二つの）袴部４０ａが設けられている。なお、カバー６ｄは、第２板状部１６の外表面に接触する端部に沿って延びる一の袴部を有していてもよい。
【００３１】
袴部４０ａは、第２板状部１６の外表面に沿ってカバー６ｄから延びる板形状を有しており、この外表面に接触している。袴部４０ａは、カバー６ｄにより覆われる側とは反対側（カバー６ｄの外側）において板状に突出している。スペーサ４４ａは、回路基板３４ｃと第２板状部１６との間に設けられている。スペーサ４４ａは、袴部４０ａと同数（実施形態においては、二つ）だけ設けられている。袴部４０ａは、第２板状部１６を介してスペーサ４４ａ上に配置される。
【００３２】
袴部４０ａ、第２板状部１６、スペーサ４４ａ及び回路基板３４ｃには、ボルト４２ａがねじ込まれたボルト孔が設けられている。このボルト孔は、袴部４０ａに設けられたボルト孔４１ａと、第２板状部１６に設けられたボルト孔４３ａと、スペーサ４４ａに設けられたボルト孔４５ａと、回路基板３４ｃに設けられたボルト孔４７ａとを含む。ボルト孔４１ａは袴部４０ａの貫通孔であり、ボルト孔４３ａは第２板状部１６の貫通孔であり、ボルト孔４５ａはスペーサ４４ａの貫通孔である。ボルト孔４７ａは回路基板３４ｃに設けられた凹状の窪みであり、内部に底壁を有する。
【００３３】
ボルト孔４１ａ，４３ａ，４５ａ，４７ａ及びボルト４２ａは、袴部４０ａと同数（実施形態においては、二つ）だけ設けられている。ボルト孔４３ａ，４５ａ，４７ａは、ボルト孔４１ａに対応する位置（第２板状部１６の上方から見てボルト孔４１ａに重なる箇所）に設けられており、ボルト孔４１ａ，４３ａ，４５ａ，４７ａは、ボルト孔４１ａからボルト４２ａがねじ込めるよう一列に配置されている。一列に配置された一組のボルト孔４１ａ，４３ａ，４５ａ，４７ａを含む一のボルト孔には、一本のボルト４２ａがねじ込まれている。このように、ボルト４２ａを用いたボルト止めによって、カバー６ｄ及び光検出素子３４がケース４に保持される。
【００３４】
次に、信号ケーブル２４をケース４に固定するための固定部の具体的な構成について説明する。図１０〜図１５に、固定部の具体例を示す。なお、図１０〜図１５に示すカバー６はカバー６ｃであり、パッケージ２はパッケージ２ｃであるが（図６参照）、これに限らず、カバーはカバー６ａ〜６ｄの何れであってもよく、パッケージはパッケージ２ａ〜パッケージ２ｄの何れであってもよい。
【００３５】
まず、図１０に示す固定部を説明する。図１０（Ａ）は、固定部を示す斜視図であり、図１０（Ｂ）は、図１のＩ−Ｉ線に沿った口腔内センサの断面構造を示す図である。図１０に示す固定部は、固定部材３２ａ（第１の固定部材）及び固定部材３２ｂ（第２の固定部材）から成る。固定部材３２ａ，３２ｂは、信号ケーブル２４を挟み込むように第２板状部１６の外表面上において対向して配置されている。固定部材３２ａ，３２ｂは、板形状を有しており、同様の寸法を有している。
【００３６】
固定部材３２ａの有する複数の面のうち、固定部材３２ｂに対向する面（２４に接触する面）と、固定部材３２ｂの有する面のうち、固定部材３２ａに対向する面（信号ケーブル２４に接触する面）とには、それぞれ複数の溝が設けられている。これらの複数の溝は、第２板状部１６の上方に向かって互に平行に延びている。これらの複数の溝によって固定部材３２ａ，３２ｂのそれぞれに複数の凹凸が構成され、固定部材３２ａ，３２ｂの有するこれら複数の凹凸によって信号ケーブル２４が固定部材３２ａと固定部材３２ｂとの間に効果的に挟み込まれる。固定部材３２ａ，３２ｂによって信号ケーブル２４を挟み込む作用により、信号ケーブル２４はパッケージ２ｃに強固に固定可能となる。
【００３７】
次に、図１１に示す固定部を説明する。図１１（Ａ）は、固定部を示す斜視図であり、図１１（Ｂ）は、図１のＩ−Ｉ線に沿った口腔内センサの断面構造を示す図である。図１１に示す固定部は、固定部材３２ａ、固定部材３２ｂ及び固定部材４６（第５の固定部材）から成る。固定部材４６は、カバー６ｃの内表面に設けられており、固定部材３２ａと固定部材３２ｂとの間に配置されている。固定部材４６の幅は、信号ケーブル２４の直径よりも小さいのが好ましい。固定部材４６の幅は、信号ケーブル２４の延びる方向に対して垂直な方向に沿った固定部材４６の寸法である。固定部材４６は、固定部材３２ａと固定部材３２ｂとの間において、信号ケーブル２４に接触し、信号ケーブル２４を第２板状部１６側に押さえ付ける。固定部材３２ａ，３２ｂによって信号ケーブル２４を挟み込む作用と、固定部材４６によって第２板状部１６側に押さえ付ける作用とにより、信号ケーブル２４はパッケージ２ｃに強固に固定可能となる。
【００３８】
図１２に示す固定部を説明する。図１２（Ａ）は、固定部を示す斜視図であり、図１２（Ｂ）は、図１のＩ−Ｉ線に沿った口腔内センサの断面構造を示す図である。図１２に示す固定部は、固定部材３２ａ、固定部材３２ｂ、固定部材４８ａ（第６の固定部材）及び固定部材４８ｂ（第７の固定部材）から成る。固定部材４８ａ，４８ｂは、信号ケーブル２４を挟み込むようにカバー６ｃの内表面に設けられている。固定部材４８ａ，４８ｂは、板形状を有しており、同様の寸法を有している。固定部材４８ａの有する複数の面のうち、固定部材４８ｂに対向する面（信号ケーブル２４に接触する面）と、固定部材４８ｂの有する面のうち、固定部材４８ａに対向する面（信号ケーブル２４に接触する面）とには、それぞれ複数の溝が設けられている。これらの複数の溝は、互に平行に第２板状部１６の上方に向かって延びている。これらの複数の溝によって固定部材４８ａ，４８ｂのそれぞれに複数の凹凸が構成され、固定部材４８ａ，４８ｂの有するこれらの複数の凹凸によって信号ケーブル２４が固定部材４８ａと固定部材４８ｂとの間に効果的に挟み込まれる。固定部材４８ａ，４８ｂによって信号ケーブル２４を挟み込む作用により、信号ケーブル２４はパッケージ２ｃに強固に固定可能となる。
【００３９】
また、固定部材４８ａ，３２ａは、信号ケーブル２４が開口１６ａから延びる向きに沿って順次配置され、固定部材４８ｂ，３２ｂも、この向きに沿って順次配置される。固定部材４８ａ，４８ｂは、開口１６ａから延びる信号ケーブル２４をまず挟み込んで保持し、固定部材３２ａ，３２ｂは、固定部材４８ａ，４８ｂから先に延びる信号ケーブル２４を更に挟み込んで保持する。従って、固定部材４８ａ，４８ｂによって信号ケーブル２４を挟み込む作用と、固定部材３２ａ，３２ｂによって信号ケーブル２４を挟み込む作用とにより、信号ケーブル２４はパッケージ２ｃに対しより強固に固定可能となる。なお、固定部材４８ａ，４８ｂの位置と、固定部材３２ａ，３２ｂの位置とを入れ替えた構成であってもよい。また、固定部材４８ａ，４８ｂのみであって固定部材３２ａ，３２ｂが無い構成も可能である。
【００４０】
次に、図１３に示す固定部を説明する。図１３（Ａ）は、固定部を示す斜視図であり、図１３（Ｂ）は、図１のＩ−Ｉ線に沿った口腔内センサの断面構造を示す図である。図１３に示す固定部は、固定部材３２ａ、固定部材３２ｂ及び固定部材５０（第５の固定部材）から成る。固定部材５０は、カバー６ｃの内表面に設けられており、固定部材３２ａと固定部材３２ｂとの間に配置されている。固定部材５０の幅は、信号ケーブル２４の直径よりも小さいのが好ましい。固定部材５０の幅は、信号ケーブル２４の延びる方向に対して垂直な方向に沿った固定部材５０の寸法である。
【００４１】
固定部材５０は、固定部材３２ａと固定部材３２ｂとの間において信号ケーブル２４に接触し、信号ケーブル２４を第２板状部１６側に押さえ付ける。固定部材５０の有する複数の面のうち、第２板状部１６に対向する面（信号ケーブル２４に接触する面）には、複数の溝が設けられている。これらの複数の溝は、固定部材３２ａから固定部材３２ｂに向かう方向に沿って互に平行に延びている。これらの複数の溝によって複数の凹凸が構成され、固定部材５０の有するこれらの複数の凹凸によって信号ケーブル２４が第２板状部１６側に効果的に押さえ付けられる。固定部材３２ａ，３２ｂによって信号ケーブル２４を挟み込む作用と、固定部材５０によって第２板状部１６側に押さえ付ける作用とにより、信号ケーブル２４はパッケージ２ｃに強固に固定可能となる。
【００４２】
次に、図１４に示す固定部を説明する。図１４（Ａ）は、固定部を示す斜視図であり、図１４（Ｂ）は、図１のＩ−Ｉ線に沿った口腔内センサの断面構造を示す図である。図１４に示す固定部は、固定部材３２ａ、固定部材３２ｂ、固定部材５０及び固定部材５２（第８の固定部材）から成る。固定部材５２は、第２板状部１６の外表面に設けられており、固定部材３２ａと固定部材３２ｂとの間に配置されている。固定部材５２の幅は、信号ケーブル２４の直径よりも小さいのが好ましい。固定部材５２の幅は、信号ケーブル２４の延びる方向に対して垂直な方向に沿った固定部材５２の寸法である。
【００４３】
固定部材５２は、固定部材３２ａと固定部材３２ｂとの間において信号ケーブル２４に接触し、信号ケーブル２４は、固定部材５０と固定部材５２とにより挟まれている。固定部材５２の有する複数の面のうち、固定部材５０に対向する面（信号ケーブル２４に接触する面）には、複数の溝が設けられている。これらの複数の溝は、固定部材３２ａから固定部材３２ｂに向かう方向に沿って互に平行に延びている。これらの複数の溝によって複数の凹凸が構成され、固定部材５２の有するこれらの複数の凹凸によって信号ケーブル２４が固定部材５０と固定部材５２との間で効果的に挟み込まれる。固定部材３２ａ，３２ｂによって信号ケーブル２４を挟み込む作用と、固定部材５０，５２によって信号ケーブル２４を挟み込む作用とにより、信号ケーブル２４はパッケージ２ｃに強固に固定可能となる。
【００４４】
次に、図１５に示す固定部を説明する。図１５（Ａ）は、固定部を示す斜視図であり、図１５（Ｂ）は、図１のＩ−Ｉ線に沿った口腔内センサの断面構造を示す図である。図１５に示す固定部は、固定部材５４（第３の固定部材）及び固定部材５６（第４の固定部材）から成る。固定部材５４は、カバー６ｃの内表面に設けられており、固定部材５６は、第２板状部１６の外表面に設けられている。第２板状部１６の外表面上から見て、固定部材５４と固定部材５６とは、重なり合うように配置されている。固定部材５４と固定部材５６とは信号ケーブル２４を挟む。
【００４５】
固定部材５４の有する複数の面のうち、固定部材５６に対向する面（信号ケーブル２４に接触する面）には、複数の溝が設けられている。固定部材５６の有する複数の面のうち、固定部材５４に対向する面（信号ケーブル２４に接触する面）には、複数の溝が設けられている。固定部材５４，５６の溝の向きは同一であり、固定部材５４，５６の間において信号ケーブル２４の延びる向きに垂直である。これらの複数の溝によって、固定部材５４，５６のそれぞれに凹凸が構成され、固定部材５４，５６の有するこれらの複数の凹凸によって信号ケーブル２４が固定部材５４と固定部材５６との間に効果的に挟み込まれる。固定部材５４，５６によって信号ケーブル２４を挟み込む作用により、信号ケーブル２４はパッケージ２ｃに強固に固定可能となる。
【００４６】
なお、固定部材３２ａ，３２ｂ，４８ａ，４８ｂ，５０，５２，５４，５６のそれぞれの溝の向きは、図１０〜図１５に示すものに限らず、例えば、これらの向きに対し垂直な方向であってもよい。
【図面の簡単な説明】
【００４７】
【図１】実施形態に係る口腔内センサの外観を示す図である。
【図２】実施形態に係る口腔内センサの断面構造を示す図である。
【図３】実施形態に係る口腔内センサの斜視図である。
【図４】実施形態に係る口腔内センサの断面構造を示す図である。
【図５】実施形態に係る口腔内センサの斜視図である。
【図６】実施形態に係る口腔内センサの断面構造を示す図である。
【図７】実施形態に係る口腔内センサの斜視図である。
【図８】実施形態に係る口腔内センサの断面構造を示す図である。
【図９】実施形態に係る口腔内センサの斜視図である。
【図１０】実施形態に係る固定部の構造を示す図である。
【図１１】実施形態に係る固定部の構造を示す図である。
【図１２】実施形態に係る固定部の構造を示す図である。
【図１３】実施形態に係る固定部の構造を示す図である。
【図１４】実施形態に係る固定部の構造を示す図である。
【図１５】実施形態に係る固定部の構造を示す図である。
【符号の説明】
【００４８】
１，１ａ，１ｂ，１ｃ，１ｄ…口腔内センサ、１０…第２ケース部材、１２…第１板状部、１４…第１側壁部材、１４ａ，１８ａ…端部、１６…第２板状部、１６ａ…開口、１６ｂ…嵌合溝、１８…第２側壁部材、２，２ａ，２ｂ，２ｃ，２ｄ…パッケージ、２０…側壁部、２２…孔部、２４…信号ケーブル、２６ａ，２６ｂ，３０ａ，３０ｂ，３８ａ，３８ｂ…突部、２８ａ，２８ｂ…突片部、３２ａ，３２ｂ，４６，４８ａ，４８ｂ，５０，５２，５４，５６…固定部材、３４…光検出器、３４ａ…シンチレータ、３４ｃ…回路基板、３４ｂ…イメージセンサ、３５…光入射面、３６…パッド、４…ケース、４０ａ…袴部、４１ａ，４３ａ，４５ａ，４７ａ，４２ａ…ボルト孔、４４ａ…スペーサ、６，６ａ，６ｃ，６ｄ，６ｂ…カバー、８…第１ケース部材
【図１】
0005053793.tif 000002
【図２】
0005053793.tif 000003
【図３】
0005053793.tif 000004
【図４】
0005053793.tif 000005
【図５】
0005053793.tif 000006
【図６】
0005053793.tif 000007
【図７】
0005053793.tif 000008
【図８】
0005053793.tif 000009
【図９】
0005053793.tif 000010
【図１０】
0005053793.tif 000011
【図１１】
0005053793.tif 000012
【図１２】
0005053793.tif 000013
【図１３】
0005053793.tif 000014
【図１４】
0005053793.tif 000015
【図１５】
0005053793.tif 000016